(57)【要約】      （修正有）【課題】再構成可能な患者支持装置を提供する【解決手段】患者支持装置は、代わりの支持頂部２００Ｂと、代わりの支持頭部２００Ｂを部分的に支持する頭部支持ユニット２２と、頭部支持ユニット２２から長手方向に間隔を置いた足部支持ユニット２４と、足部支持ユニット２４に結合するアダプタ９０Ａと、を備える。アダプタ９０Ａは、アダプタ９０Ａおよび足部支持ユニット２４が協働して、代わりの支持頂部２００Ｂを部分的に支持し、その結果、代わりの支持頂部２００Ｂが足部支持ユニット２４を越えて足部方向に延在するように、足部支持ユニット２４に固定可能である。頭部指示ユニット２２および足部支持ユニット２４の役割は、逆であってもよい。関連の患者支持システムは、基本的組の支持頂部と、１組の代わりの支持頂部２００Ｂとを備える。【選択図】図４
2018126497.tif 000002
【特許請求の範囲】
【請求項１】
患者支持装置において、
代わりの支持頂部と、
前記代わりの支持頂部を部分的に支持する頭部支持ユニットと、
前記頭部支持ユニットから長手方向に間隔を置いた足部支持ユニットと、
前記足部支持ユニットに結合するアダプタと、を備え、
前記アダプタおよび足部支持ユニットが協働して、前記代わりの支持頂部を部分的に支持し、前記代わりの支持頂部が前記足部支持ユニットを越えて足部方向に延在するように前記アダプタが前記足部支持ユニットに固定可能であることを特徴とする、
患者支持装置。 
【請求項２】
請求項１に記載の装置において、前記アダプタおよび足部支持ユニットが協働して、前記代わりの支持頂部を部分的に支持し、前記代わりの支持頂部が前記足部支持ユニットを既定距離だけ越えて足部方向に延在することを特徴とする、装置。
【請求項３】
請求項２に記載の装置において、既定距離は、外科的アクセス要件によって定められることを特徴とする、装置。 
【請求項４】
請求項２に記載の装置において、前記既定距離は、９９パーセンタイルの男性の身長のほぼ５０％であることを特徴とする、装置。
【請求項５】
請求項１に記載の装置において、前記足支持ユニットが、基部と、前記基部から垂直に上向きに延在する台座とを備え、前記足部支持ユニットは、
ａ）前記代わりの支持頂部の支持と両立しないクラウンが前記台座上に存在する基本的構造と、
ｂ）前記代わりの支持頂部の支持と両立する前記アダプタが前記クラウンの代わりに台座上に存在する非基本的構造と、
なるよう構成可能であることを特徴とする、装置。 
【請求項６】
請求項１に記載の装置において、前記アダプタが、前記代わりの支持頂部または前記代わりの支持頂部に装着された付属品にサービスを伝達するコネクタを含むことを特徴とする、装置。
【請求項７】
請求項６に記載の装置において、前記サービスが、少なくとも１つの電気エネルギーおよびデータであることを特徴とする、装置。
【請求項８】
請求項１に記載の装置において、前記代わりの支持頂部が識別エレメントを備えることを特徴とする、装置。
【請求項９】
請求項１に記載の装置において、
前記頭部支持ユニットが、前記代わりの支持頂部の第１の端部において、前記代わりの支持頂部を部分的に支持し、
前記アダプタおよび前記足部支持ユニットが協働して、前記代わりの支持頂部を部分的に支持し、前記代わりの支持頂部が前記足部支持ユニットを越えて既定距離だけ足部方向に延在し、
前記アダプタも前記足部支持ユニットから取り外し可能であり、それによって、前記足部支持ユニットを、基本的支持頂部の足部方向端部で前記足部支持ユニットにより前記基本的支持頂部が支持可能となる基本的構造に変換するか、または当該基本的構造に再構成可能にすることを特徴とする、装置。
【請求項１０】
患者支持装置において、
頭部支持ユニットと、
足部支持ユニットと、
前記頭部支持ユニットと前記足部支持ユニットとの間で長手方向に延在し、前記ユニットを共に結合する結合部材と、
前記足部支持ユニットに装着可能であり且つ前記足部支持ユニットから取り外し可能であるクラウンと、を備えることを特徴とする、装置。 
【請求項１１】
請求項１０に記載の装置において、前記クラウンの代わりに、前記足部支持ユニットに固定可能であり且つ前記足部支持ユニットから取り外し可能であるアダプタを備えることを特徴とする、装置。 
【請求項１２】
請求項１１に記載の装置において、前記クラウンが装着された前記足部支持ユニットが、少なくとも１個の部材を有する第１の組の支持頂部から選択された基本的支持頂部の支持と両立し、前記アダプタが固定された前記足部支持ユニットが、少なくとも１個の部材を有する第２の組の支持頂部から選択された代わりの支持頂部の支持と両立することを特徴とする、装置。
【請求項１３】
患者支持システムにおいて、
少なくとも１個の部材を有する基本的組の支持頂部と、
頭部支持ユニットと、
前記頭部支持ユニットから長手方向に間隔を置いた足部支持ユニットと、
前記頭部支持ユニットおよび前記足部支持ユニットは、前記第１の組の支持頂部の各部材が前記頭部支持ユニットにより部分的に支持可能となり、且つ前記足部支持ユニットにより部分的に支持可能となるような基本的構造を有し、
少なくとも１個の部材を有する代わりの組の支持頂部を備え、前記第２の組の支持頂部の部材が、基本構成の頭部支持ユニットおよび基本構成の足部支持ユニットにより支持不可能であり、
前記頭部支持ユニットおよび前記足部支持ユニットのうちの少なくとも１個は、前記第２の組の各部材が前記頭部支持ユニットにより部分的に且つ前記足部支持ユニットにより部分的に支持可能であるように、非基本的構造に再構成可能であることを特徴とする、患者支持システム。 
【請求項１４】
請求項１３に記載のシステムにおいて、前記少なくとも１個の支持ユニットを前記非基本的構造に再構成するアダプタのグループを備え、前記アダプタのグループは、少なくとも１個の部材を有することを特徴とする、システム。 
【請求項１５】
請求項１４に記載のシステムにおいて、前記第２の組の支持頂部のうちの少なくとも１個の部材が、両支持ユニットの前記非基本的構造への再構成を必要とし、前記頭部端部ユニットを再構成するアダプタおよび前記足部端部ユニットを再構成するアダプタが交換可能であることを特徴とする、システム。 
【請求項１６】
請求項１４に記載のシステムにおいて、前記第２の組の支持頂部のうちの少なくとも１個の部材が、両支持ユニットの非基本的構造への再構成を必要とし、前記頭部端部ユニットを再構成するアダプタおよび前記足部端部ユニットを再構成するアダプタが交換不可能であることを特徴とする、システム。 
【請求項１７】
請求項１４に記載のシステムにおいて、前記第２の組の支持頂部が、少なくとも２個の部材を備え、前記アダプタの組が、
前記第２の組の支持頂部の部材のうちの一方を収容するために、前記２個の支持ユニットのうちの特定のものを非基本的構造に再構成するために使用可能である第１のアダプタと、
前記第２の組の支持頂部の部材のうちの他方を収容するために、前記特定の支持ユニットを非基本的構造に再構成するために使用可能である第２のアダプタと、を備えることを特徴とする、システム。 
【請求項１８】
請求項１４に記載のシステムにおいて、前記第２の組の支持頂部の部材のうちの少なくとも１個の部材が、非基本的構成のユニットにより支持されると、第１の既定距離だけ前記足部支持ユニットを越えて足部方向に延在し且つ第２の既定距離だけ前記頭部支持ユニットを越えて頭部方向に延在し、またはそのいずれかであり、前記既定距離が互いに等しくなる必要はないことを特徴とする、システム。
【発明の詳細な説明】
【技術分野】
【０００１】
ここで述べる主題は、手術台に関し、特に外科医、手術スタッフの他のメンバーに対し、患者の手術部位により良く接近できるようにする手術台に関する。 
【発明の概要】
【発明が解決しようとする課題】
【０００２】
代表的な手術台は、頭部端部および足部端部支持ユニットと、該支持ユニット間にまたがり、それらによって支持された支持頂部とを備える。支持ユニットに関する支持頂部の代表的な構成は、多くの外科手術に対して満足いくものとなり得る。他の外科手術に対して、代表的構成は、最適ではないかもしれない。なぜなら、外科医が常に患者の手術部位に最適に接近できるとは限らないからである。本出願は、手術部位に対して外科医がより良く接近できるように改良した再構成可能な手術台について述べている。
【課題を解決するための手段】
【０００３】
患者支持装置の一実施形態は、代わりの支持頂部と、前記代わりの支持頂部を部分的に支持する頭部支持ユニットと、前記頭部支持ユニットから長手方向に間隔を置いた足部支持ユニットと、前記足部支持ユニットに結合するアダプタと、を備える。アダプタは、アダプタおよび足部支持ユニットが協働して、代わりの支持頂部を部分的に支持し、その結果、代わりの支持頂部が足部支持ユニットを越えて足部方向に延在するように、足部支持ユニットに固定可能である。 
【０００４】
患者支持装置の別の実施形態は、頭部支持ユニットと、足部支持ユニットと、頭部支持ユニットと足部支持ユニットとの間で長手方向に延在し、そのユニットを共に結合する結合部材と、足部支持ユニットに装着可能であり且つ足部支持ユニットから取り外し可能であるクラウンと、を備える。 
【０００５】
患者支持システムの一実施形態は、少なくとも１個の部材を有する第１の、または基本的な組の支持頂部と、頭部支持ユニットと、該頭部支持ユニットから長手方向に間隔を置いた足部支持ユニットと、を備える。頭部支持ユニットおよび足部支持ユニットは、第１の組の支持頂部の各部材が、頭部支持ユニットにより部分的に、さらに足部支持ユニットにより部分的に支持可能となるような基本的構造を有する。患者支持システムはまた、少なくとも１個の部材を有する第２の、または代わりの組の支持頂部も備える。第２の組の支持頂部の部材は、基本的構成の頭部支持ユニットおよび足部支持ユニットによっては支持不可能であるが、頭部支持ユニット、足部支持ユニットまたはその両方は、第２の組の各部材が頭部支持ユニットにより部分的に且つ足部支持ユニットにより部分的に支持可能であるように非基本的構造に再構成可能である。 
【図面の簡単な説明】
【０００６】
ここで述べる患者支持装置および患者支持システムの様々な実施形態の前述および他の特徴が、以下の詳細な説明および添付図面から、より明らかとなるであろう。
【図１Ａ】患者が腹臥位で支持された状態の患者支持装置を示す側面図であり、患者支持装置は、頭部支持ユニットと、足部支持ユニットと、基本的支持頂部とを有し、支持装置は、基本的構造で示されているが、基本的構造および代わりの構造間で再構成可能である。
【図１Ｂ】患者の仮想輪郭を示す図１Ａの１Ｂ−−１Ｂ方向の平面図である。
【図１Ｃ】ユニットの台座部品から取り外されたユニットのクラウン部品を示す図１Ａおよび図１Ｂの足部支持ユニットの立面図である。
【図２】図１Ａと同様の図であり、図１Ａのクラウンの代わりに支持頂部が取り外され、アダプタが足部支持ユニットの台座に設置された状態である。
【図３Ａ】図１Ａおよび図２と同様の図であり、支持頂部が、腹臥手術に使用される代わりの支持頂部である代わりの構造の支持装置を示す。
【図３Ｂ】患者の仮想輪郭を示す図３Ａの３Ｂ−−３Ｂの方向の平面図である。
【図４】図３Ａおよび図２と同様の図であり、支持頂部が、股関節手術に使用される代わりの支持頂部である代わりの構造の支持装置を示す。
【図５Ａ】代わりの構造の支持ユニットの台座部およびアダプタ部品の図であり、アダプタは、標準配向および軸回りに１８０度回転してコネクタを露出する配向で示される。
【図５Ｂ】代わりの構造の支持ユニットの台座部およびアダプタ部品の図であり、アダプタは、標準配向および軸回りに１８０度回転してコネクタを露出する配向で示される。
【図６】第１の、または基本的組の支持頂部を含む基本的構造および第２の、または代わりの組の支持頂部を含む代わりの構造で構成可能な患者支持システムの図である。
【図７】第１の、または基本的組の支持頂部を含む基本的構造および第２の、または代わりの組の支持頂部を含む代わりの構造で構成可能な患者支持システムの図である。
【図８】第１の、または基本的組の支持頂部を含む基本的構造および第２の、または代わりの組の支持頂部を含む代わりの構造で構成可能な患者支持システムの図である。
【発明を実施するための形態】
【０００７】
実施例が添付図面に示されている本発明の実施形態を以下で参照する。既に述べた特徴と類似の、または同一の特徴は、既に使用したものと同じ参照数字によって識別することも可能である。"実質的に" および"およそ" という用語は、量的比較、数値、測定値または他の表現に帰する可能性がある固有の不確実度を表すためにここで使用する場合もある。これらの用語は、当の主題の基本的機能を変化させることなく量的表現が規定の参照から変化する可能性がある度合いを表すためにも、ここで使用する。
【０００８】
図１Ａないし図４を参照すると、手術台２０等の患者支持装置は、頭部支持ユニット２２と、該頭部支持ユニットから長手方向に間隔を置いた足部支持ユニット２４とを備える。図３Ａおよび 図４から明らかなように、“頭部”および“足部”は、２個の支持ユニット間で区別するために使用されるが、患者の配向に必ずしも対応するわけではない。
【０００９】
結合部材３０は、頭部支持ユニットと足部支持ユニットとの間で長手方向に延在し、支持ユニットを互いに結合する。結合部材は、固定長部材であってもよいか、または例えば、伸縮チューブから構成された可変長部材であってもよい。
【００１０】
頭部ユニット２２は、基部４０と、基部の底部から延在するキャスター４２と、基部から垂直且つ上向きに延在する円柱４４とを備える。円柱は、例えば、油圧システムにより、基部４０に関して高さを調節可能である一次エレベータ５０を備える。円柱は、一次エレベータに装着された二次エレベータ５２も備える。一次エレベータに関する二次エレベータの高さは固定されるが、二次エレベータは、２個以上の装着ステーション５４を備え、それに対して、基本的患者支持頂部１００Ａの第１の端部１０１Ａが装着可能である。基本的支持頂部１００Ａは、一般に参照数字１００で示される１組の基本的支持頂部の部材である。装着ステーションは、三角形の記号により概略的に示され、互いに垂直に分離される。
【００１１】
足部ユニット２４は、基部６０と、基部の底部から延在するキャスター６２と、基部から垂直に且つ上向きに延在する円柱６４とを備える。円柱は、台座部８０と、クラウン８２とを含む一次エレベータ７０を備える。クラウンは、台座に装着可能であり且つ台座から取り外し可能である。
一次エレベータは、例えば、油圧システムにより、基部６０に関して高さが調節可能である。円柱はまた、一次エレベータ、特にクラウン８２に装着された二次エレベータ７２も備える。一次エレベータに関する二次エレベータの高さは固定されているが、二次エレベータは、２個以上の装着ステーション７４を備え、該装着ステーションには、患者支持頂部１００Ａの第２の端部１０２Ａが装着可能である。装着ステーションは、三角形の記号で概略的に示され、互いに垂直に分離される。クラウン８２は、台座８０に装着可能であり且つそこから取り外し可能である。図１Ａは、一次エレベータが台座とクラウンとを備えるように台座に装着されたクラウンを示す。図２は、一次エレベータが台座とアダプタを備えるように、以下でより詳細に説明するが、取り外されてアダプタ９０Ａと交換されたクラウンを示す。
【００１２】
支持頂部の第１の端部１０１Ａは、選択された装着ステーション５４において頭部二次エレベータ５２に装着され、支持頂部の第２の端部１０２Ａは、選択された装着ステーション７４において足部二次エレベータ７２に装着される。"第１の"および"第２の"は、支持頂部の長手方向に対向する端部間で便宜上区別を行うためにここで用いられるが、患者の配向に必ずしも対応するわけではない。二次エレベータ５２、７２は、支持頂部１００Ａの長手方向の端部１０１Ａ、１０２Ａと支持ユニット２２、２４との間のインタフェースである。二次エレベータによって保持される荷重は、一次エレベータ５０、７０、基部４０、６０およびキャスター４２、６２により床に転送される。実際に、スタッフメンバーは、装着ステーションと、高さ調節可能な一次エレベータの高さとを選択し、患者を望ましい高さおよび傾きに位置決めする
（例えば、レベル、頭部を下に傾ける、足部を下に傾ける）。
【００１３】
基本的支持頂部および以下でより完璧に述べられ、図３Ａ、３Ｂ および図４に示される代わりの支持頂部の組の部材には、様々な付属品を装着してもよい。付属品の例は、図３Ａ、３Ｂおよび図４の代わりの支持頂部に関連してのみ示される。付属品の例は、パッド１１０と、トラクションアセンブリ１１２,と、アーム支持部１１４と、会陰ポスト１１６とを備える。 
【００１４】
少なくとも足部支持ユニット、従って、全体としての患者支持装置は、基本的構造において構成可能である。基本的構造は、図１Ａおよび図１Ｂに見られるように基本的支持頂部１００Ａとクラウン８２とを備える。少なくとも足部支持ユニット、従って、全体としての患者支持装置はまた、非基本的構造において構成可能である。非基本的構造は、図３Ａの腹臥手術支持頂部２００Ａまたは図４の股関節手術頂部２００Ｂ等の代わりの支持頂部を備える。代わりの支持頂部２００Ａ、２００Ｂは、一般に参照数字２００で示される１組の代わりの支持頂部の部材である。用語 "非基本的"および "代わりの"は、代わりの構造および頂部が基本的構造または支持頂部と比較して劣っている、または好ましくないということを示唆するためではなく、異なる構造および支持頂部を差別化するために、ここで使用する。
【００１５】
図１Ａおよび図１Ｂは、クラウン８２が台座８０上に存在し、物理的にそれに結合される基本的構造で構成されている足部支持ユニット、従って、全体としての患者支持装置を示す。ここで使用するように、"上に"は"の頂部に"を意味し、同じ高さ、またはほぼ同じ高さを意味するのではない。クラウンは台座に結合されていない場合でさえ、台座に装着可能であり且つ台座から取り外し可能であるという意味では台座および足部支持ユニットに関連する。クラウンは、基本的支持頂部の支持とは両立するが、代わりの支持頂部の支持とは両立しない。従って、基本的構造は、少なくとも１個の部材を有する第１の、または基本的組の支持頂部から選択された図１Ａの頂部１００Ａ等の基本的頂部を含む。基本的頂部の第１の端部は、頭部支持ユニットの二次エレベータに装着される。基本的支持頂部の第２の端部は、足部支持ユニットの二次エレベータに装着される。 
【００１６】
基本的支持頂部を使用する際、頭部支持ユニットおよび足部支持ユニットが各々部分的に基本的支持頂部を支持し、支持頂部の重量全体をまとめて支持する。ここで使用するように、特に指定がない限り、基本的支持頂部の重量は、支持頂部自体の重量と、支持頂部によって保持された重量（例えば、患者のいずれかの付属品の重量）とを含む。
【００１７】
支持ユニットに関する支持頂部の基本的構造は、多くの外科手術には申し分ないが、他のものには最適以下であるかもしれない。図１Ａおよび図１Ｂに見られるように外科医が足部支持ユニットの右に立つ場合、少なくとも距離Ｄロングだけ患者から長手方向に離れるが、これは不十分かもしれない。外科医が患者の頸椎に手術を行っている場合、支持ユニット基部６０および支持頂部のエッジ１２２によって定められる角１２２に立つように強制されてもよく、そのため、手術部位への最良のアクセスのために身体を位置決めするか、または動かすことができない可能性もある。
【００１８】
図２、図３Ａ、図３Ｂおよび図４は、足部支持ユニット、従って、非基本的構造で構成された全体としての患者支持装置を示す。非基本的構造において、アダプタ９０Ａは、基本的構造のクラウン８２の代わりに台座８０の上に存在する。図１Ｃは、アダプタを台座に固定するための準備の際に、台座から取り外されたクラウンを示す。クラウンおよびアダプタの使用は、相互に排他的である。アダプタは、台座に物理的に結合される。アダプタが台座に結合されない時でさえ、台座に固定可能であり、台座から取り外し可能であるという意味で台座および足部支持ユニットに関連する。アダプタは、代わりの支持頂部の支持と両立するが、基本的支持頂部の支持とは両立しない。従って非基本的構造は、少なくとも１個の部材を有する第２の、または代わりの組の支持頂部から選択された図３Ａおよび図４の頂部２００Ａ、２００Ｂ等の代わりの頂部を含む。代わりの支持頂部は、頭部支持ユニットの二次エレベータ５２に装着される。代わりの支持頂部もまた、足部支持ユニットの二次エレベータ７２に装着される。代わりの支持頂部およびアダプタは、別個の部品である、すなわち、それらは１個のユニットに統合されていない。 
【００１９】
代わりの支持頂部を使用する際、頭部支持ユニットおよび足部支持ユニットが各々、代わりの支持頂部を部分的に支持し、一括すると、支持頂部の重量全体を支持する。ここで使用するように、特に指定がない限り、代わりの支持頂部の重量は、支持頂部自体の重量と、支持頂部に保持された重量（例えば、付属品および患者の重量）とを含む。 
【００２０】
非基本的構造では、アダプタおよび足部支持ユニットが協働して、代わりの支持頂部を部分的に支持し、その結果、代わりの支持頂部が足部支持ユニットを越えて足部方向に延在する。本明細書は、用語“延在し過ぎる”およびその変形例を用いて、足部支持ユニットを越えた足部方向、または頭部ユニットを越えた頭部方向への支持頂部の延在を言及する。特に、代わりの支持頂部は、既定の距離ＤＰだけ足部支持ユニットを越えて足部方向に延在する。既定の距離は、外科的アクセス要件によって定められてもよい。外科的アクセス要件の一例は、図 １Ａおよび図１Ｂないし図３Ａおよび図３Ｂを比較することにより理解出来る。図１Ａおよび図１Ｂに見られるように外科医が足部支持ユニットの右に立つ場合、少なくとも距離Ｄロングだけ患者から長手方向に離れるが、これは不十分かもしれない。外科医が患者の頸椎に手術を行う場合、支持ユニット基部６０および支持頂部のエッジ１２２によって定められる角１２２に立つように強制されるかもしれない。結果として、外科医は、手術部位に最良に接近するために自分自身を位置決めするか、または身体を動かすことが出来ない場合もある。対照的には、図３Ｂにおいて、外科医は、より強制されない。外科医は、患者に対して横方向に接近して位置決め可能であり、（手術台の長手寸法に沿って）左または右に踏み込むことも可能である。実際、外科医は、接近の弧１２４の全長に沿って患者に近付く。  
【００２１】
あるいは、またはさらに、既定の距離は、人体測定パラメータで表してもよい。例えば、既定の距離は、９９パーセンタイルの男性の高さの５０％でもよいため、９９パーセンタイルの男性患者の５０％まで（さらに、より小さい患者のより高い百分率）が、足部支持ユニットの最も足部方向のエッジ１２８を越えて足部方向に位置決め可能である。人体測定データ源の１つとして、アルビン・アール・ティリー（Ａｌｖｉｎ  Ｒ．  Ｔｉｌｌｅｙ）、ＩＳＢＮ  ０−４７１−０９９５５−４による"設計における男性および女性―人的要因の測定（Ｔｈｅ  Ｍｅａｓｕｒｅ  ｏｆ  Ｍａｎ  ａｎｄ  Ｗｏｍａｎ  −  Ｈｕｍａｎ  Ｆａｃｔｏｒｓ  ｉｎ  Ｄｅｓｉｇｎ）"が挙げられる。 
【００２２】
図５Ａおよび図５Ｂは、上記、及び軸１３０の回りに１８０°回転した結果として以下から分かるようなアダプタの例９０Ａを示す。アダプタは、足部円柱２４の台座部８０に固定可能であり、且つそこから取り外し可能である。アダプタおよび円柱は、１個以上の接続または結合部位１５０、１５２をそれぞれ含む。結合部位が互いに係合されると、アダプタは、水平または垂直方向に円柱に関して移動できないように、また円柱に関して回転できないように、台座に固定的に接続される。結合部位が互いに外れると、図１Ｃにおいて基本的構造のクラウンが取り外した状態で示されるのとほぼ同じように、アダプタが、頭部支持ユニット２２に向けて水平に摺動することにより円柱から取り外すことが可能である。支持頂部が頭部支持ユニット２２および足部支持ユニット２４に接続されると、ユニット自体が頭部支持ユニットに向けてアダプタを不本意に移動させることを防止するという利点を、長手頭部方向の取り外しが有する。アダプタの頂部側は、第１のコネクタ１５６を備え、該コネクタは、支持頂部の下側の組み合わせエレメントまたはコネクタ１５８と協働して、アダプタ、従って、台座に支持頂部を固定的に接続したままにする。コネクタ１５６もまた、電気１７０、電気接地１７２、データ１７４、油圧流体１７６および空圧流体１７８を伝達可能である。 
【００２３】
アダプタの底部側は、コネクタ１６０を備える。台座は、組み合わせコネクタ１６２を備える。コネクタは、代わりの支持頂部または代わりの支持頂部に装着された付属品にサービスを伝達する。サービスの例は、電気エネルギー１７０と、電気接地１７２と、データ１７４と、油圧１７６と、空圧１７８(例えば、電動付属品への油圧流体または空気)とを含む。
【００２４】
上記のように、"頭部"および"足部"は、ここで使用され、別個の支持ユニットを区別する。図１Ａないし図４の例では、２個の支持ユニットのうちの１個のみ、特に、図の右側により近いユニットは、代わりの支持頂部を収容するよう再構成して示されている。しかしながら、上記は、図の左側により近く示された支持ユニットを足部ユニットとして、さらに他のユニットを頭部ユニットとして再度示すだけで、そのユニットに等しく適用する。さらに、両方のユニットは、基本的構造と変わりの構造との間で再構成可能ある。 
【００２５】
図６は、患者支持システムの一般的概念を示す。システムは、頭部支持ユニット２２と、頭部支持ユニットから長手方向に間隔を置いた足部支持ユニット２４とを備える。図の中央左に見られるように、頭部支持ユニットおよび足部支持ユニットが基本的構造で存在する。患者支持システムの基本的構造は、ｎ個の部材１ないしｎを備え、１００Ａ、１００Ｂ等で個別に識別される第１の、または基本的組１００の支持頂部を備える。第１の組の支持頂部は、少なくとも１個の部材を有し、２個以上の部材を有してもよい。第１の組の支持頂部の各部材は、第１の組の部材から、基本的構造の支持ユニット間の空間まで導く矢印によって表されるように、基本的構造の頭部支持ユニットにより部分的に、さらに基本的構造の足部支持ユニットにより部分的に支持可能である。  
【００２６】
システムはまた、ｍ個の部材１〜部材ｍを備え、２００Ａ、２００Ｂ等によって個別に識別される第２の、または代わりの組２００の支持頂部を備える。第２の組の支持頂部は、少なくとも１個の部材を有し、２個以上の部材を有してもよい。第２の組の支持頂部の部材は、基本的構造の頭部支持ユニットと基本的構造の足部支持ユニットとの組み合わせにより支持することは不可能である。換言すれば、基本的構造の頭部支持ユニットは、第２の組の部材の一端部を部分的に支持することが可能でもよいが、共に作用する、基本的構造の頭部支持ユニットおよび基本的構造の足部支持ユニットは、第２の組の支持頂部の部材のいずれかに対して、完璧で申し分のない支持を提供することが出来ない。この不適合性は、第２の組の部材から、図の中央左の基本的構造の支持ユニットに向けて延在する中断矢印で表される。 
【００２７】
図の中央右に見られるように、足部支持ユニットは、非基本的構造に再構成可能であり、その結果、第２の組の支持頂部の各部材が、頭部支持ユニットにより部分的に、また足部支持ユニットにより部分的に支持可能である。この適合性は、第２の組の部材から非基本的構造の支持ユニット間の空間に導く矢印によって表される。第２の組の少なくとも１個の部材は、非基本的構造の足部支持ユニットにより支持される場合、既定の距離ＤＰだけ、足部支持ユニットを越えて足部方向に延在する。第１の組の支持頂部の部材は、頭部支持ユニットおよび非基本的構造の足部支持ユニットによって支持することは不可能である。この不適合性は、第１の組の部材から、図の中央右の支持ユニットに向けて延在する中断矢印によって表される。
【００２８】
患者支持システムもまた、ｐ個の部材１〜部材ｐを備え、９０Ａ、９０Ｂによって個々に識別されたアダプタのグループ９０等を含む。アダプタの組９０は、少なくとも１個の部材を有し、２個以上の部材を有してもよい。アダプタまたはアダプタ組のアダプタは、上記方法で使用され、足部支持ユニットの非基本的構造への再構成を行う。例示のアダプタの組は、第２の組の支持頂部の部材の接続を調節するために、２個の支持ユニットの特定のもの（頭部支持ユニット２２または足部支持ユニット２４のいずれか）の、非基本的構造への再構成を行うために使用可能な第１のアダプタ９０Ａを備える。例示のアダプタの組はまた、２個の支持ユニットのうちの特定のものを、第２の組の支持頂部の異なる部材に対する非基本的構造に再構成するために使用可能である第２のアダプタ（例えば、９０Ｂ）を備えてもよい。  
【００２９】
図７は、図６と同様であるが、患者支持システムの一実施形態を示し、そこでは、第２の組の支持頂部の部材を支持するために、頭部および足部支持ユニットの両方が、基本的状態から非基本的状態に再構成される。数字９０に適用された接尾辞Ａ、Ｂ等は、異なる様式のアダプタ、例えば、代わりの支持頂部の組の部材間の違いを調節するために、互いに異なるアダプタを示す。ハイフン付きの数字"−１"、"−２"等は、アダプタの在庫が、接尾辞で示された様式の多数のアダプタを備えることを示す。図７に示すように、頭部支持ユニット２２で使用するアダプタおよび足部支持ユニット２４で使用するアダプタは、互いに物理的に同じであり、従って、支持ユニット間で交換可能である。すなわち、アダプタ９０Ａ−１を用いて足部支持ユニットを再構成することが可能であり、アダプタ９０Ａ−２を用いて頭部支持ユニットを再構成することが可能であり、頂部、例えば頂部２００Ａの所与の様式に対して逆も同様である。 
【００３０】
図8は、図７頭部支持ユニット２２を基本的状態から非基本的状態に再構成するために使用するアダプタと、足部支持ユニット２４を再構成するために使用するアダプタとは、互いに物理的に異なっており、従って、支持ユニット間で交換不可能であることを除いては、図７と同様である。換言すれば、第２の組からの少なくとも１個の支持頂部に対して、(同一のアダプタ９０Ａ−１、９０Ａ−２、…の下位グループから選択された)アダプタ９０Ａは、支持頂部と頭部支持ユニット２２との間の適合性を達成するために必要なアダプタであるが、(同一のアダプタ９０Ｂ−１、９０Ｂ−２、…のグループから選択された)アダプタ９０Ｂ は、支持頂部と、足部支持頂部２４との間の適合性を達成するために必要なアダプタである。
【００３１】
続いて図７、図８を参照すると、図８は、第２の組の支持頂部の少なくとも１個の部材が、非基本的構造のユニットにより支持された場合、既定距離ＤＰ１だけ足部方向に延在し過ぎ（すなわち、足部支持ユニットを越えて足部方向に延在し）、さらに既定距離ＤＰ２だけ頭部方向に延在し過ぎる、（すなわち、頭部支持ユニットを越えて頭部方向に延在する）ことを示す。図７は、第２の組の支持頂部の少なくとも１個の部材が、非基本的構造のユニットにより支持された場合、既定距離だけ足部方向に延在し過ぎるが、頭部方向には延在し過ぎないことを示す。さらに別の代替として、図示していないが、第２の組の少なくとも１個の部材が非基本的構造のユニットにより支持された場合、既定距離だけ頭部方向に延在し過ぎるが、足部方向には延在し過ぎない。繰り返しになるが、既定距離は互いに異なってもよい。 
【００３２】
図７は、交換アダプタという面において、唯一の方向に延在し過ぎる支持頂部を示す。図８は、非交換アダプタという面において、両方向に延在し過ぎる支持頂部を示す。しかしながら、患者支持システムは、代わりに、またはさらに、頂部が非交換アダプタを用いて唯一の方向に延在し過ぎ、頂部が交換アダプタを用いて両方向に延在し過ぎるようにアダプタおよび代わりの頂部を備えてもよい。 
【００３３】
上記に鑑み、患者支持システムの詳細は、より良く認識されるであろう。図１Ｃを参照すると、クラウンは、長手水平方向に、台座から取り外し可能であり、台座に装着可能である。クラウンおよび台座は、ラッチ部品２３０、２３２を備える。ラッチが係合されると、クラウンは足部円柱に固定的に接続され、その結果、クラウンは、水平または垂直方向に円柱に関して移動することは不可能であり、円柱に関して回転することも不可能である。例えば、ユーザアクセス可能トリガ２３４の動作によりラッチが外れると、クラウンは、頭部支持ユニット２２に向けて水平に摺動することにより、円柱から取り外し可能である。長手頭部方向（すなわち他の支持ユニットに向かう）取り外しには、支持頂部が頭部支持ユニット２２および足部支持ユニット２４の両方に結合されると、ユニット自体が頭部支持ユニットに向かうクラウンの不本意な移動を防止するという利点がある。 
【００３４】
図１Ａ、図３Ａ、図４、および図６ないし図８を参照すると、第１の支持頂部の組の部材および第２の支持頂部の組の部材、またはそのいずれかは、識別エレメント２４０を備えてもよい。位置実施例では、識別エレメントはＲＦＩＤタグであり、これは、例えば、足部円柱に配置されるＲＦＩＤリーダによって読み取り可能である。別の実施例では、識別エレメントは、ホール効果センサ対のセンサまたは励振器である。採用した技術に関係なく、識別エレメントは、支持頂部の同一性についての情報を提供する。例えば、識別エレメントは、支持頂部が容認出来る外科手術の型式に基づいて、プロセッサが支持頂部に特定の限定を強制的に加えることが出来るように、プロセッサに情報を提供してもよい。限定例としては、特定の型式の支持頂部が円柱によって上昇または下降可能である最高許容速度と、支持頂部が上昇または下降可能である最大または最小許容重量と、支持頂部に対して許容される最大傾斜とが挙げられる。 
【００３５】
上記から明らかであるように、アダプタはそのホスト支持ユニットから取り外し可能であり、それによって、基本的支持頂部が支持ユニットにより支持可能である基本的構造に足部支持ユニットを再構成可能にする。支持ユニットとは、基本的構造を達成するために、アダプタ９０Ａの取り外しに続いてクラウン８２が台座８０に設置可能であるという意味で、基本的構造に再構成可能であると考えられる。別の実施形態では、クラウンは、基本的構造を達成するためには必要ない。その理由は、クラウン無しに自立している台座８０が基本的支持頂部に必要な支持を提供することが出来る。その場合、アダプタの取り外しによって、（クラウンを装着することにより）基本的構造に再構成される状態に置くよりも支持ユニットを基本的構造に変換する。 
【００３６】
クラウン８２およびアダプタの組９０の部材が、対向する支持ユニットに向けて摺動されることにより、台座８０から摺動可能に取り外し自在として述べられている。しかしながら、横方向に取り外され且つ垂直方向に取り外された保管支持ユニットから摺動されるなど、他の取り外し方向もまた、申し分ないものとなり得る。 
【００３７】
本開示は特定の実施形態を参照するが、特許請求の範囲で述べた主題から逸脱することなく、形態および詳細を様々に変化させてもよいことが当業者に理解されるであろう。
【図１Ａ】
2018126497.tif 000003
【図１Ｂ】
2018126497.tif 000004
【図１Ｃ】
2018126497.tif 000005
【図２】
2018126497.tif 000006
【図３Ａ】
2018126497.tif 000007
【図３Ｂ】
2018126497.tif 000008
【図４】
2018126497.tif 000009
【図５Ａ】
2018126497.tif 000010
【図５Ｂ】
2018126497.tif 000011
【図６】
2018126497.tif 000012
【図７】
2018126497.tif 000013
【図８】
2018126497.tif 000014
【外国語明細書】
2018126497000001.pdf